(57)【要約】      （修正有）【課題】作業者の負担を軽減する小型かつ簡易な立木伐倒器具を提供する。また、立木の幹径に合わせた部材交換の必要もなく、大径木であっても容易に伐倒できる立木伐倒器具を提供する。【解決手段】立木伐倒器具１００は、樹木の切口に挿し込むクサビ１と、クサビ１を前後動作可能とする可動部２と、前記樹木Ｔに立木伐倒器具１００を固定するための固定部材３とを備え、固定部材３は樹木の幹の周りに掛け回して立木伐倒器具１００を固定する。【選択図】図１
2020124171.tif 000002
【特許請求の範囲】
【請求項１】
樹木の切口に挿し込むクサビと、前記クサビを前後動作可能とする可動部と、前記樹木に立木伐倒器具を固定する固定部材とを備えることを特徴とする立木伐倒器具。
【請求項２】
前記固定部材が支持部を備え、前記可動部および前記支持部が万力であることを特徴とする請求項１記載の立木伐倒器具。
【請求項３】
前記クザビは、前記クサビの厚みを変える可変部をさらに備えることを特徴とする請求項１又は２記載の立木伐倒器具。
【請求項４】
前記クサビは、クサビ表面にウロコ部が備わり、前記ウロコ部は、前記クサビを前記追い口に侵入させる方向に力が加わると前記クサビ表面に沿って畳まれ、かつ前記クサビを前記追い口から抜き出す方向に力が加わると前記クサビ表面から離れて逆立つことを特徴とする請求項１から３のいずれか一項記載の立木伐倒器具。
【請求項５】
樹木の切口に挿し込むクサビと、前記クサビを前後動作可能とする可動部と、前記樹木に固定するための固定部材とを備えた立木伐倒器具による立木伐倒方法であって、前記クサビを樹木の切口に挿し込んで、前記固定部材を立木の幹の周りに掛け渡して立木と立木伐倒器具を締結した後、前記可動部を作動させて樹木を伐倒することを特徴とする立木伐倒方法。
【発明の詳細な説明】
【技術分野】
【０００１】
本発明は、立木を伐倒するのに適した万力型またはジャッキ型のクサビを備える立木伐倒器具に関する。
【背景技術】
【０００２】
従来から大径の立木を伐り倒す方法として、クサビを使用する方法が良く知られている。これは、まずチェンソーによって伐倒方向に受け口を形成し、その反対側に追い口を形成した後、追い口にクサビを挿し込み、斧やハンマーなどでそのクサビを伐倒方向に打ち込んでいくことで、立木を伐り倒すものである。この方法は、クサビを打ち込むのに体力を要し、危険も伴いがちである。
【０００３】
またクサビを使用しない方法として、チェンソーによって受け口と追い口を上記と同様に形成した後に、樹木上部にロープを架けて、ウインチやチロルで伐倒方向に引き倒すことで、立木を伐り倒す方法も知られている。しかしこの方法は時間がかかる上、何度も山の傾斜面を往復する必要がある。
【０００４】
また立木の伐倒の際に、トングを使用して伐倒する方法が従来から知られているが、立木の幹径に合わせてトングのサイズを変更する必要があり、手間が生じていた。加えて大径木の場合には非常に大きなトングが必要となり伐倒作業が困難であった。そこで、立木を伐倒する様々な装置が従来から提案されてきた（特許文献１，２）。
【０００５】
特許文献１には、逆目付案内板に進退できるように楔を嵌合しこの楔を油圧ポンプにて加圧される油圧ラムのプランジャーに押出して樹木の切口に楔を挿し込むようにしたことを特徴とする樹木伐採用楔が開示されている（請求項１）。逆目２を樹木に食い込ませ案内板が抜け出さないようにしてあるから楔６が進出しても案内板の先端が開くだけで案内板は益々樹木の切口に密着することが開示されており、油圧ポンプを操作して楔６を前進させれば鎖鋸の負荷は軽くなり切込操作を迅速に行うことができることが開示されている（発明の詳細な説明）。
【０００６】
特許文献２には、上下動作可能なストロークを備えたくさびと、該くさびに一端が連結された油圧ホースと、該油圧ホースの他端に連結された油圧ポンプとから成っており、該ポンプの遠隔操作によって前記くさびのストロークが上方に移動することを特徴とする立木伐倒装置が開示されている。
【先行技術文献】
【特許文献】
【０００７】
【特許文献１】特公昭４０−００６６７２号公報
【特許文献２】特開昭５０−１２４６９６号公報
【発明の概要】
【発明が解決しようとする課題】
【０００８】
特許文献１では、楔を樹木の切口に侵入させようとすると、油圧ジャッキに対して抗力が発生する。この点、油圧ジャッキを不動状態で支持しなければならず、案内板に形成された逆目２がその役割を果たすが、摩擦抵抗が十分とは言えなかった。そのため、作業者が油圧ジャッキを支える場合には体力を要していた。また、支持部材によって支持する場合であっても大型の支持部材を必要としていた。加えて、案内板に逆目２が形成されていることで、樹木の切口に楔を挿し込む際に抵抗が増すため、油圧ジャッキに対する抗力も増し、さらに挿し込みにくくなっていた。
【０００９】
特許文献２では、油圧ジャッキが使用されているが、上下方向の動作が僅か（例えば３ｃｍ程度）であり、立木を傾けて伐倒するには油圧ジャッキの上昇動作だけでは十分とは言えなかった。また、くさび１０及びストローク１２を設置するための設置場所２２を、チェンソー等によって追い口側に形成する必要があるが、その調整に手間がかかる。例えば、図２〜４に示される如く、くさび１０及びストローク１２は、樹心に対して平行に、且つ水平に隙間なく配置することが望ましく、図３（Ａ）乃至（Ｅ）のように樹木が切られた場合には、設置に時間がかかる。また大きく切りすぎた場合には当て木２４をする必要もあり手間が生じる。
【００１０】
そこで本発明の目的は、作業者の負担を軽減する小型かつ簡易な立木伐倒器具を提供することにある。また、立木の幹径に合わせた部材交換の必要もなく、大径木であっても容易に伐倒できる立木伐倒器具を提供することにある。
【課題を解決するための手段】
【００１１】
本発明の立木伐倒器具は、樹木の切口に挿し込むクサビと、前記クサビを前後動作可能とする可動部と、前記樹木に立木伐倒器具を固定する固定部材とを備えることを特徴とする。
本発明の立木伐倒方法は、樹木の切口に挿し込むクサビと、前記クサビを前後動作可能とする可動部と、前記樹木に固定するための固定部材とを備えた立木伐倒器具による立木伐倒方法であって、前記クサビを樹木の切口に挿し込んで、前記固定部材を立木の幹の周りに掛け渡して立木と立木伐倒器具を締結した後、前記可動部を作動させて樹木を伐倒することを特徴とする。
本発明によれば、固定部材によって立木伐倒器具が立木に締結するとともに、可動部を作動させてクサビを樹木の切口に挿し込むことで、立木に対して立木伐倒器具を支持する力が生じる。そのため、クサビを樹木の切口に挿し込む間、大型の部材で立木伐倒器具を支持したり、作業者が立木伐倒器具を立木に向かって押さえつけたりする必要もなく、作業者の負担が軽減する。作業者が手を放すことも可能となり、可動部を作動させるだけで立木を伐倒することが可能である。
【００１２】
本発明の立木伐倒器具は、前記固定部材が支持部を備え、前記可動部および前記支持部が万力であることを特徴とする。
万力（まんりき）とは、対象物を２つの口金の間に挟み固定する工具や機構であり、例えば、押上万力（パンタグラフジャッキ）、横万力、手万力、立て万力、マシンバイス等を含む。
本発明によれば、油圧ジャッキより軽量であり、かつ安価に製造できる。また油圧ジャッキでは、オイルが漏れる場合や、高く持ち上げると不安定になって危険な場合もあるが、万力とすることでそのような問題を解消することができる。
【００１３】
本発明の立木伐倒器具は、前記クザビは、前記クサビの厚みを変える可変部をさらに備えることを特徴とする。
チェンソーによって形成される追い口の大きさは常に一定とは限らない。またクサビを挿し込んでいくほど、立木が受け口側に傾くため受け口が狭くなり追い口は広くなる。しかし一旦挿し込んだクサビの厚みを変更することは容易ではない。
本発明によれば、可変部を作動させてクサビの厚みを調整することができる。そのため、追い口の広さに合わせて小さな力でクサビの厚みを調整することが可能となり、より迅速かつ簡単に立木を伐倒することが可能となる。
【００１４】
本発明の立木伐倒器具は、前記クサビは、クサビ表面にウロコ部が備わり、前記ウロコ部は、前記クサビを前記追い口に侵入させる方向（順方向）に力が加わると前記クサビ表面に沿って畳まれ、かつ前記クサビを前記追い口から抜き出す方向（逆方向）に力が加わると前記クサビ表面から離れて逆立つことを特徴とする。
本発明によれば、クサビ表面にウロコ加工が施されているため、クサビは追い口内部に滑らかに挿し込んでいくことが可能である。他方、クサビを追い口から抜き出す方向に力が加わった場合には、ウロコ部が逆立つため抵抗力が発生し、クサビが抜けにくいものとなっている。
【発明の効果】
【００１５】
本発明によれば、作業者の負担を軽減する小型の簡易的な立木伐倒器具を提供することができる。また、立木の幹径に合わせた部材交換の必要もなく、大径木であっても容易に伐倒できる立木伐倒器具を提供することができる。
【図面の簡単な説明】
【００１６】
【図１】本発明の第１実施形態に係る立木伐倒器具１００を示す平面模式図である。
【図２】上記実施形態に係る立木伐倒器具１００を示す正面模式図である。
【図３】上記実施形態に係る立木伐倒器具１００を示す側面模式図である。
【図４】上記実施形態に係る立木伐倒方法を示す概略図である。
【図５】本発明の第２実施形態に係る立木伐倒器具２００を示す平面模式図である。
【図６】上記実施形態に係る立木伐倒器具２００を示す側面模式図である。
【発明を実施するための形態】
【００１７】
（第１の実施の形態）
図１は、本発明の第１の実施形態に係る立木伐倒器具１００を示す平面模式図である。図２は、本実施形態に係る立木伐倒器具１００を示す正面模式図である。図３は、本実施形態に係る立木伐倒器具１００を示す側面模式図である。図４は、本実施の形態に係る立木伐倒方法を示す概略図である。
【００１８】
本実施の形態の立木伐倒器具１００は、樹木Ｔの切口（追い口Ａ）に挿し込むクサビ１と、クサビ１を前後動作可能とする可動部２と、樹木Ｔに立木伐倒器具１００を固定するための固定部材３とを備える。クサビ１の一端（根元側１ｂ）には、可動部２の前端２ａが連結されており、可動部２の後端２ｂには固定部材３の支持部３４が連結されている（図１〜４）。
【００１９】
クサビ１は、追い口Ａの隙間に挿し込んで、受け口Ｂ方向に倒す用途で使用される（図１，４）。クサビ１は、堅い木材や金属で作られ、側面からみてＶ字形または三角形の形状とされ、根元側１ｂから先端側１ａに向かってだんだん薄くなるようにテーパが形成されている（図３）。
【００２０】
可動部２は、ハンドル２１と、アーム２２と、ねじ軸２３とを備える（図１，２）。ハンドル２１の回転動作によって軸線を中心にねじ軸２３が回転し、回転軸に対し垂直方向（図１では上方向）にアーム２２が伸長し、クサビ１が前進動作する（図１）。
【００２１】
固定部材３は、樹木Ｔに立木伐倒器具１００を固定するために使用される。本実施の形態の固定部材３はチェーン本体３１、留め具３２、受け具３３、および支持部３４を備えた、金属製のチェーンである（図１，２）。固定部材３（チェーン本体３１）は、立木Ｔの幹の周囲に掛け回されるものであり、立木Ｔの幹周に合わせた長さ（例えば１ｍ〜６ｍ程度）とされる（図４）。チェーン本体３１の一端（先端側）が留め具３２とされ、チェーン本体３１の他端（根元側）は支持部３４に連結されている（図１，２）。受け具３３は、チェーン本体３１とは別に、支持部３４に連結されている（図１，２）。支持部３４は、押上万力の支持機構である。チェーン先端の留め具３２は、チェーン本体３１を立木Ｔの幹周囲に掛け回した後、受け具３３に引掛けて固定・締結するために使用する。
【００２２】
本実施の形態の立木伐倒器具１００は、押上万力（いわゆる、ねじ式のジャッキであるパンタグラフジャッキ）の機構を備えている。可動部２が押上万力の可動機構であり、固定部材３の支持部３４が押上万力の支持機構となる。押上万力は一般に、対象物の下に置かれてその物を支え、または持ち上げるために使われるものであるが、本実施の形態では対象物である立木Ｔを、クサビ１が連結された可動部２と、固定部材３との間に挟んで固定し、クサビ１を前後動作（進退動作）させるために使用している（図４）。万力の機構であれば安価に製造でき、使用する際にもオイル漏れの心配が無く、軽量で作業上の危険性も低い。
【００２３】
次に本発明に係る立木伐倒器具１００を用いた立木伐倒方法について説明する（図４）。従来通りの要領で、まずチェンソー（不図示）を用いて伐倒方向に受け口Ｂを形成し、その反対側に追い口Ａを形成する。追い口Ａ側は樹芯近くまでチェンソーにより略水平に切られる。
【００２４】
次にクサビ１の先端を樹木Ｔの追い口Ａに挿し込んで、可動部２を略水平方向に配する。そして固定部材３（チェーン本体３１）を立木Ｔの幹の周りに掛け渡して（掛け回して）、立木Ｔと立木伐倒器具１００を締結する。固定部材３によって立木Ｔに対して可動部後端２ｂに位置した支持部３４を固定支持した後、ハンドル２１を回転させて、可動部２を前進動作させることで、立木Ｔに押圧力（追い口Ａに挿し込む力）が逃げることなく伝わるようにする。その後、ハンドル２１をさらに回転させて前進動作させ、クサビ１を追い口Ａに深く挿し込んでいき、樹木Ｔを伐倒する。
【００２５】
（第２の実施の形態）
図５は本実施の形態に係る立木伐倒器具２００を示す平面模式図である。図６は本実施の形態に係る立木伐倒器具２００を示す側面模式図である。
【００２６】
本実施の形態の立木伐倒器具２００は、樹木Ｔの切口（追い口Ａ）に挿し込むクサビ５１と、クサビ５１を前後動作可能とする可動部５２と、樹木Ｔに立木伐倒器具２００を固定するための固定部材５３とを備える。クサビ５１の一端（根元側５１ｂ）には、可動部５２のねじ軸５２３の前端５２ａが連結されており、ねじ軸５２３の中程には、固定部材５３の支持部５３４がねじ軸５２３に対して回転自在に連結されている（図５，６）。
【００２７】
クサビ５１は、追い口の隙間に挿し込んで、受け口方向に倒す用途で使用されるものであり、堅い木材や金属で作られ、側面からみてＶ字形または三角形の形状とされ、根元側５１ｂから先端側５１ａに向かってテーパが形成されている（図６）。
【００２８】
本実施の形態のクサビ５１は、その表面にウロコ加工が施されている（図５）。ウロコ部５１１は順方向（クサビ５１を追い口Ａに侵入させる方向）に力が加わるとクサビ５１表面に沿って畳まれ、逆方向（クサビ５１を追い口Ａから抜き出す方向）に力が加わるとクサビ５１表面から離れて逆立つ。
【００２９】
本実施の形態のクサビ５１は、クサビ５１の厚みを変える可変部５４をさらに備える（図５，６）。可変部５４は、小ねじ５４１、蝶ナット５４２、およびナット５４３を有する。クサビ５１の厚み方向に小ねじ５４１が貫通しており、手で蝶ナット５４２を回して締め付けを行うことで、クサビ５１の厚みを調整する。本実施の形態では蝶ナット５４２及びナット５４３は、クサビ５１の外部に位置し、締め付けによりクサビ５１の厚みを小さくする方向に調整するものであるが、クサビ５１の内部に位置し、締め付けによりクサビ５１の厚みを大きくする方向に調整するものであってもよい。手万力（手でねじを締める小型の万力）の原理でクサビ５１の厚みを調整するため、追い口Ａにクサビ５１を挿し込んだ際にも厚み方向の負荷に強い構成となる。本実施の形態では、手万力としたが、押上万力を可変部に適用しても良い。
【００３０】
可動部５２は、ハンドル５２１と、ねじ軸５２３とを備える（図５，６）。ハンドル５２１は、その中心部がねじ軸５２３の後端に垂直に連結される（図５）。ねじ軸５２３は、固定部材５３の支持部５３４を貫通してなる。ハンドル５２１の回転動作によって軸線を中心にねじ軸５２３が回転し、支持部５３４に対して、回転軸方向（図５では上方向）にクサビ１、ハンドル５２１、及びねじ軸５２３が前進動作する（図５）。
【００３１】
固定部材５３は、樹木Ｔに立木伐倒器具２００を固定するために使用される。本実施の形態の固定部材５３はロープ（縄）であり、ロープ本体５３１、留め具５３２、受け具５３３、および支持部５３４を備える（図５，６）。固定部材５３（ロープ本体５３１）は、立木Ｔの幹の周囲に掛け回されるものであり、立木Ｔの幹周に合わせた長さ（例えば１ｍ〜６ｍ程度）とされる（図５）。ロープ本体５３１の一端が留め具５３２とされ、ロープ本体５３１の他端は、支持部５３４のリングＲに連結されている（図５）。受け具５３３は、支持部５３４に連結されている（図５）。ロープ先端の留め具５３２は、ロープ本体５３１を立木Ｔの幹周囲に掛け回した後、受け具５３３に結んで固定・締結するために使用する。
【００３２】
本実施の形態の立木伐倒器具２００は、いわゆる横万力の機構を備えている。可動部５２が横万力の可動機構であり、固定部材５３の支持部５３４が横万力の支持機構となる。横万力は一般に、本体の固定部と、ねじ作用で開閉する可動部との間に、工作物をはさんで固定するものであるが、本実施の形態では対象物である立木Ｔを、クサビ５１が連結された可動部５２と、固定部材５３との間に挟んで固定し、クサビ５１を前後動作（進退動作）させるために使用している（図４）。万力の機構であれば安価に製造でき、使用する際にもオイル漏れの心配が無く、軽量で作業上の危険性も低い。
【００３３】
次に本発明に係る立木伐倒器具２００を用いた立木伐倒方法について説明する。従来通りの要領で、まずチェンソーを用いて伐倒方向に受け口Ｂを形成し、その反対側に追い口Ａを形成する。追い口Ａは樹芯近くまでチェンソーにより略水平に切られる（不図示）。
【００３４】
次にクサビ５１の先端を樹木Ｔの追い口Ａに挿し込んで、可動部５２を略水平方向に配する。その後、可変部５４によってクサビ５１の厚さを追い口Ａに適した大きさに調整する。そして固定部材５３（ロープ本体５３１）を立木Ｔの幹の周りに掛け渡して（掛け回して）、立木Ｔと立木伐倒器具２００を締結する。固定部材５３によって立木Ｔに対して支持部５３４を固定支持した後、ハンドル５２１を回転させて、可動部５２を前進動作させることで、立木Ｔに押圧力（追い口Ａに挿し込む力）が逃げることなく伝わるようにする。クサビ５１表面にはウロコ加工が施されているため、クサビ５１は追い口Ａ内部に滑らかに挿し込んでいくことが可能であり、他方、クサビ５１を追い口Ａから抜き出す方向に力が加わった場合には、ウロコ部５１１が逆立つため抵抗力が発生し、クサビ５１が抜けにくいものとなっている。可動部５２の前進動作により樹木Ｔが傾斜し、追い口Ａが広がってきた場合には、可変部５４を再調整することで、追い口Ａの大きさに合わせてクサビ５１の厚さを再調整することも可能である。その後、ハンドル５２１をさらに回転させて前進動作させ、クサビ５１を追い口Ａに深く挿し込んでいき、樹木Ｔを伐倒する。
【００３５】
以上のように説明してきたが、本発明はその趣旨を逸脱しない範囲で適宜変更可能である。例えば、本発明の可動部や固定部材（支持部）は、上述のような押上万力や横万力の機構の他、シャコ万力など、その他の万力の機構からなっていてもよい。またジャッキの機構からなっていてもよく、ジャッキには、押上万力のようなねじ式のジャッキの他、ラックジャッキ、油圧ジャッキが含まれる。ラックジャッキとしては、レバーと爪で受金つきのラックを押上げる形式のジャッキや、ハンドルと歯車でラックを動かす形式（箱ジャッキともいう）のジャッキが含まれる。油圧ジャッキは、油圧でラムを押上げるジャッキであり、人力でプランジャポンプを操作する一体形式のものや，ポンプを別置きとする分離ポンプ形式のものが含まれる。また本発明の固定部材（固定部材本体）に使用されるものとしては、幹の周囲に掛け回される折り曲げ自在な長尺物であれば特に限定はされない。上述のようなチェーン（鎖）やロープ（縄）の他に、紐やバンド（帯）等も使用可能であり、素材としては、金属、樹脂、繊維など、引張強度に優れた素材が使用され得る。
【符号の説明】
【００３６】
１００，２００          立木伐倒器具、
１，５１                クサビ、
２，５２                可動部、
２１，５２１            ハンドル、
３，５３                固定部材、
３１，５３１            固定部材本体（チェーン本体、ロープ本体）、
３４，５３４            支持部、
５４                    可変部、
５１１                  ウロコ部、
Ｔ                      樹木（立木）、
Ａ                      追い口、
Ｂ                      受け口
【図１】
2020124171.tif 000003
【図２】
2020124171.tif 000004
【図３】
2020124171.tif 000005
【図４】
2020124171.tif 000006
【図５】
2020124171.tif 000007
【図６】
2020124171.tif 000008